(57)【特許請求の範囲】
【請求項１】
第１基地局であって、
前記第１基地局の無線通信を支援するように構成された無線機回路と、
処理要素と、を備え、
前記処理要素は、前記無線機回路と相互動作して、前記第１基地局に、
前記第１基地局がデータ通信を実行していないときに１つ以上の無線機に第１の専用の同期及び測定サブフレームを含む複数のサブフレームを送信させ、ここで前記１つ以上の無線機は、前記第１基地局の第１セルに対応するカバレッジ領域に存在し、
前記第１の専用の同期及び測定サブフレームを、設定された周期性に従って、かつ、他のセルから前記設定された周期性に従って、かつ互いに時間同期して周期的に送信される第２の専用の同期及び測定サブフレームと時間同期して、前記他のセルがデータ通信を実行していないときに周期的に送信させるように構成され、
前記第１および第２の専用の同期及び測定サブフレームのそれぞれは参照信号を含み、
前記複数のサブフレームのうち、前記第１の専用の同期及び測定サブフレーム以外の全てのサブフレームはブランクサブフレームであり、前記ブランクサブフレームはデータ及びセル固有の参照シンボルを含まない、第１基地局。
【請求項２】
前記処理要素は前記無線機回路と相互動作して、さらに前記第１基地局に、前記第１基地局がデータ通信を実行しているときにデータサブフレームを送信させるように構成され、
前記データサブフレームのうちの少なくとも１つのサブセットは、セル固有参照シンボルを含んでいない、請求項１に記載の第１基地局。
【請求項３】
前記１つ以上の無線機は、周期的かつ時間同期されて送信される前記第１および第２の専用の同期及び測定サブフレームのそれぞれの期間中に前記第１セル及び他のセルのセル測定を実行するために前記第１および第２の専用の同期及び測定サブフレームに含まれる前記参照信号を用いる、請求項１に記載の第１基地局。
【請求項４】
時間同期されて送信される第１および第２の専用の同期及び測定サブフレームそれぞれの期間中に、前記他のセルによって送信される参照信号は、前記時間同期されて送信される第１および第２の専用の同期及び測定サブフレームの期間中に前記第１基地局によって送信される参照信号に関して直交している、請求項１に記載の第１基地局。
【請求項５】
前記無線機回路及び前記処理要素は、相互動作して、前記第１基地局に、
前記第１の専用の同期及び測定サブフレームに関する構成情報を送信させるようにさらに構成され、前記構成情報は前記設定された周期性を示し、前記設定された周期性に従って前記第１の専用の同期及び測定サブフレームが送信される、請求項１に記載の第１基地局。
【請求項６】
前記第１の専用の同期及び測定サブフレームに関する構成情報を送信するために、前記無線機回路及び前記処理要素は、相互動作して、前記第１基地局に、
前記構成情報をシステム情報ブロック（ＳＩＢ）内でブロードキャストさせるか、又は、
前記構成情報を無線リソース制御（ＲＲＣ）情報要素内で送信させる、ようにさらに構成されている、請求項５に記載の第１基地局。
【請求項７】
前記参照信号は、Ｚａｄｏｆｆ−Ｃｈｕ系列に基づいている、請求項１に記載の第１基地局。
【請求項８】
前記第１の専用の同期及び測定サブフレームは、前記データサブフレームに対して、変更されたサブキャリア間隔を有する、請求項２に記載の第１基地局。
【請求項９】
無線ユーザ機器デバイス（ＵＥ）であって、
前記ＵＥの無線通信を支援するように構成された無線機回路と、
処理要素と、を備え、前記処理要素は、前記無線機回路と相互動作して、前記ＵＥに、
複数のセルによってデータ通信が実行されていないときに、設定された周期性に従って、時間同期した方法で前記複数のセルにより周期的に送信される複数の専用の参照サブフレームの期間中に、前記複数のセルの各セルから参照信号を受信させ、前記複数のセルの各セルからの参照信号は、前記複数のセルの他のセルそれぞれからの前記参照信号に関して直交し、前記周期的に送信される複数の専用の参照サブフレームのそれぞれは、前記参照信号の対応するサブセットを含み、
周期的に送信される複数の専用の参照サブフレームそれぞれの期間中に、前記参照信号に基づいて前記複数のセルについてのセル測定を実行させる、ように構成され、
前記複数のセルによってデータ通信が実行されていないときに前記複数のセルの各セルから受信する、前記専用の参照サブフレーム以外の全てのサブフレームが、データ及びセル固有の参照シンボルを含まないブランクサブフレームである、無線ユーザ機器デバイス（ＵＥ）。
【請求項１０】
前記無線機回路及び前記処理要素は、相互動作して、前記受信した参照信号に基づいて、前記ＵＥに、以下の、
時間追跡ループの更新、
周波数追跡ループの更新、
ドップラーループの更新、
ＳＩＮＲループの更新、
信号強度の測定、
信号品質の測定、又は、
チャネル推定、のうちの１つ以上を実行させるようにさらに構成された、請求項９に記載のＵＥ。
【請求項１１】
前記無線機回路及び前記処理要素は、相互動作して、前記ＵＥに、
前記周期的に送信される複数の専用の参照サブフレームに関する構成情報を受信させるようにさらに構成され、前記構成情報は、前記周期的に送信される複数の専用の参照サブフレームのタイミングと、前記複数のセルのそれぞれにより使用されるそれぞれの参照信号を識別する情報とを示す、請求項９に記載のＵＥ。
【請求項１２】
前記無線機回路及び前記処理要素は、相互動作して、前記ＵＥに、
在圏セルがデータ通信を行っているときに前記在圏セルによって送信されたデータサブフレームの期間中に、前記在圏セルからデータを受信させるようにさらに構成され、前記データサブフレームのうちの少なくとも１つのサブセットは、セル固有参照シンボル（ＣＲＳ）を含んでいない、請求項９に記載のＵＥ。
【請求項１３】
復調をＣＲＳに依存するチャネルを有する、前記データサブフレームの１つのサブセットは、ＣＲＳを含む、請求項１２に記載のＵＥ。
【請求項１４】
方法であって、
無線通信デバイスによって、第１セルがデータ通信を実行していないときに、参照サブフレームの期間中に前記第１セルから第１測定信号を受信することであって、前記参照サブフレームは、参照信号を含む、ことと、
互いに、かつ前記参照サブフレームに時間同期された対応する参照サブフレームの期間中に、前記無線通信デバイスによって、前記第１セルの各隣接セルから各測定信号を受信することであって、前記対応する参照サブフレームのそれぞれは、対応する参照信号を含み、かつ、対応する隣接セルがデータ通信を実行していない時に該対応する隣接セルによって送信され、前記第１測定信号は、前記第１セルの各隣接セルによって送信される各測定信号と直交する、ことと、
前記参照サブフレームの期間中に、前記無線通信デバイスによって、前記第１測定信号に基づいて前記第１セルについての１つ以上の在圏セル測定を実行することと、
前記対応する参照サブフレームの期間中に、前記無線通信デバイスによって、前記隣接セルの各セルによって送信された各測定信号に基づいて前記隣接セルについての１つ以上の隣接セル測定を実行することと、
を有する、方法。
【請求項１５】
各測定信号は、参照シンボルのＺａｄｏｆｆ−Ｃｈｕベースの系列を含む、請求項１４に記載の方法。
【請求項１６】
前記参照サブフレームは、専用の同期及び測定サブフレームであり、前記第１セルによって送信される前記第１測定信号は、前記参照サブフレーム全体にわたる、請求項１４に記載の方法。
【請求項１７】
前記方法は、
前記第１セルによってデータ通信が実行されているときに前記第１セルによって送信された複数のデータサブフレームの期間中に、前記無線通信デバイスによって、前記第１セルからデータを受信することをさらに有し、前記複数のデータサブフレームのうちの少なくとも１つのサブセットは、セル固有参照シンボルを含んでいない、請求項１４に記載の方法。
【請求項１８】
前記方法は、
前記無線通信デバイスによって、前記第１セル及び前記第１セルの各隣接セルから、整合された周期的な間隔で、参照サブフレームを受信することをさらに有する、請求項１４に記載の方法。
【請求項１９】
前記第１セルは、前記参照サブフレームの期間中に、前記第１セルの各隣接セルに関する制御情報を更に送信する、請求項１４に記載の方法。
【発明の詳細な説明】
【技術分野】
【０００１】
本発明は、無線機器に関し、特に、セルラ通信システムにおいて同期及びセル測定用の参照サブフレームを提供するためのシステム及び方法に関する。
【背景技術】
【０００２】
無線通信システムの利用が急速に伸びている。さらに、多数の異なる無線通信技術及び規格が存在する。無線通信規格のいくつかの例として、ＧＳＭ（登録商標）、ＵＭＴＳ（例えば、ＷＣＤＭＡ（登録商標）又はＴＤ−ＳＣＤＭＡエアインターフェースに関連した）、ＬＴＥ（登録商標）、ＬＴＥ  Ａｄｖａｎｃｅｄ（ＬＴＥ−Ａ）、ＨＳＰＡ、３ＧＰＰ２、ＣＤＭＡ２０００（例えば、１×ＲＴＴ、１×ＥＶ−ＤＯ、ＨＲＰＤ、ｅＨＲＰＤ）、ＩＥＥＥ８０２．１１（ＷＬＡＮ又はＷｉ−Ｆｉ（登録商標）、ＩＥＥＥ８０２．１６（ＷｉＭＡＸ（登録商標））、Ｂｌｕｅｔｏｏｔｈ（登録商標）等が挙げられる。このような多くの無線通信規格は、同期、測定、等化、制御などの種々の目的のために、既知信号（例えば、パイロット信号又は参照信号）の使用を提供する。
米国特許出願公開第2013/128765号明細書は、ユーザ機器のセル測定方法を開示している。
米国特許出願公開第2010/322227号明細書は、無線ネットワーク内の参照信号の送信を整合するための方法及び装置を開示している。
米国特許出願公開第2009/252077号明細書は、無線ネットワーク内で情報を送信する技術を開示している。
欧州特許出願公開第2 445 260号明細書は、送信機装置、受信機装置、通信システム、及び通信方法を開示している。
【発明の概要】
【０００３】
本発明は独立請求項によって規定される。従属請求項は有利な実施形態を規定している。
本明細書では、特に、セルラ通信システムにおいて、参照サブフレームを提供するための方法、及びその方法を実施するように構成された機器に関する実施形態が、提示される。
【０００４】
本明細書に開示された技術によれば、基地局は、さまざまな同期及び測定目的のために、無線機器によって使用され得る同期された専用の参照サブフレームを周期的に提供するように整合されることができる。各基地局の参照サブフレームは、その基地局によってサービスされているＵＥによる隣接セル測定を容易にするために、隣接セルに関する制御情報を含んでもよい。
【０００５】
セル間干渉に対する堅牢性を提供するために（特に、隣接セルの専用参照サブフレームが同時に発生するように同期化され得ることを仮定すると）、各基地局は、その隣接基地局によって使用される参照信号に対して、直交する参照信号を使用することができる。例えば、異なる基地局によって、Ｚａｄｏｆｆ−Ｃｈｕルート系列の異なる循環シフトを使用してもよい。
【０００６】
このような参照信号を単一の専用サブフレームで提供することにより、基地局は、少なくともいくつかの場合に、他の（例えば、データ）サブフレームの中にセル固有の参照シンボルを含める必要性を免れることができる。この結果として、より効率的にスペクトルを利用できるようになり、さらにまた、少なくともいくつかの状況では、ネットワークインフラストラクチャ装置及び／又はユーザ機器による消費電力を節約することができる場合がある。
【０００７】
本明細書に記載する技術には、基地局、アクセスポイント、セルラ電話、携帯用メディアプレーヤ、タブレットコンピュータ、着用可能デバイス、及び種々の他のコンピューティング機器が含まれるが、これらに限定されない多数の異なる種類の機器の中に実装され、及び／又はそれらと共に使用されてもよい。
【０００８】
この発明の概要は、この文書に記載された主題のいくつかの簡単な概要を提供することを意図している。したがって、上述した特徴は単なる例にすぎず、いかなる方法でも、本明細書に記載する主題の範囲又は趣旨を狭めるように解釈すべきではないことが理解されよう。本明細書に記載する主題の他の特徴、態様及び利点は、後続の発明を実施するための形態、図面及び特許請求の範囲から明らかになるであろう。
【０００９】
実施形態の以下の詳細な説明を、以下の図面と併せて考慮すれば、本主題のより良い理解を得ることができる。
【図面の簡単な説明】
【００１０】
【図１】一実施形態に係る、例示的な（かつ、簡略化された）無線通信システムを示鈴である。
【図２】一実施形態に係る、ユーザ機器（「ＵＥ」）デバイスと通信する基地局（「ＢＳ」又は、「ｅＮｏｄｅＢ」若しくはＬＴＥコンテキストにおける「ｅＮＢ」）を例示する図である。
【図３】一実施形態に係る、ＵＥの例示的なブロック図である。
【図４】一実施形態に係る、ＢＳの例示的なブロック図である。
【図５】一実施形態に係る、セル固有参照シンボルが各サブフレーム内で送信される例示的な参照シンボルの構成を示す図である。
【図６】一実施形態に係る、無線通信システムにおける周期的な専用の同期／測定サブフレームを使用するための例示的な方法を示す通信フロー図である。
【発明を実施するための形態】
【００１１】
本明細書に記載された特徴は種々の変更及び代替の形態を受ける余地があるが、その特定の実施形態を例として図面に示し、本明細書において詳細に説明する。しかし、図面及びそれらに対する詳細な説明は、開示されている特定の形態に限定することを意図しているのではなく、逆にその意図は、添付の請求項によって画定される本主題の趣旨及び範囲内に入る全ての変更、均等物及び代替物を範囲に含むことであることを理解されたい。
【００１２】
用語
以下は、本開示で使用される用語の用語集である。
【００１３】
記憶媒体−さまざまな種類の非一時的メモリデバイス又は記憶デバイスのうちの任意のもの。「記憶媒体」という用語は、インストール媒体（例えばＣＤ−ＲＯＭ、フロッピーディスク、又はテープ装置）、コンピュータシステムメモリ若しくはランダムアクセスメモリ（ＤＲＡＭ、ＤＤＲ  ＲＡＭ、ＳＲＡＭ、ＥＤＯ  ＲＡＭ、Ｒａｍｂｕｓ  ＲＡＭなど）、不揮発性メモリ（フラッシュメモリ、磁気媒体（例えば、ハードドライブ）、又は光記憶装置、など）、レジスタ、又は他の同様の種類のメモリ要素など、を含むことが意図されている。記憶媒体には、他の種類の非一時的なメモリも同様に、又はそれらの組み合わせが、含まれ得る。さらに、記憶媒体は、プログラムが実行される第１のコンピュータシステム内に配置されてもよく、あるいは、インターネットなどのネットワークを介して、第１のコンピュータシステムに接続する第２の別のコンピュータシステム内に配置されてもよい。後者の例では、第２のコンピュータシステムは、実行のために、プログラム命令を第１のコンピュータシステムに提供することができる。用語「記憶媒体」は、異なる場所、例えば、ネットワークを介して接続された異なるコンピュータシステム内に存在し得る、２つ以上の記憶媒体を含んでもよい。記憶媒体は、１つ以上のプロセッサによって実行され得るプログラム命令（例えば、コンピュータプログラムとして具現化された）を記憶することができる。
【００１４】
キャリア媒体−上述のような記憶媒体、並びに、物理的伝送媒体（バス、ネットワークなど）、及び／又は、信号（電気的信号、電磁気的信号、若しくはデジタル信号など）を伝達する他の物理的伝送媒体。
【００１５】
プログラム可能ハードウェア要素−プログラム可能相互接続子を介して接続された複数のプログラム可能機能ブロックを備える、さまざまなハードウェアデバイスを含む。例としては、ＦＰＧＡ（Field Programmable Gate Array、フィールドプログラマブルゲートアレイ）、ＰＬＤ（Programmable Logic Device、プログラム可能論理デバイス）、ＦＰＯＡ（Field Programmable Object Array、フィールドプログラマブルオブジェクトアレイ）、及びＣＰＬＤ（Complex PLD、複合ＰＬＤ）が挙げられる。プログラム可能機能ブロックは、細かい粒度のもの（組み合わせ論理又はルックアップテーブル）から粗い粒度のもの（算術論理ユニット又はプロセッサコア）にまで及び得る。プログラム可能ハードウェア要素はまた、「再構成可能論理」と称することもできる。
【００１６】
コンピュータシステム−パーソナルコンピュータシステム（ＰＣ）、メインフレームコンピュータシステム、ワークステーション、ネットワーク装置、インターネット装置、携帯情報端末（ＰＤＡ）、テレビシステム、グリッドコンピューティングシステム、又はその他のデバイス若しくはデバイスの組み合わせ、を含むさまざまな種類のコンピューティング又は処理システムのうちの任意のもの。一般的に、用語「コンピュータシステム」は、記憶媒体からの命令を実行する少なくとも１つのプロセッサを有する任意のデバイス（又はデバイスの組み合わせ）を包含するように広範に定義することができる。
【００１７】
ユーザ機器（ＵＥ）（又は「ＵＥデバイス」）−移動式又は携帯式であり、無線通信を実行する、さまざまな種類のコンピュータシステムデバイスのうちの任意のもの。ＵＥデバイスの例としては、携帯電話若しくはスマートフォン（例えば、ｉＰｈｏｎｅ（登録商標）、Ａｎｄｒｏｉｄ（登録商標）ベースの電話）、携帯型ゲームデバイス（例えば、ニンテンドーＤＳ（登録商標）、プレイステーションポータブル（登録商標）、ゲームボーイアドバンス（登録商標）、ｉＰｈｏｎｅ（登録商標））、ラップトップ、着用可能デバイス（例えば、スマートウォッチ、スマートグラス）、ＰＤＡ、携帯型インターネット機器、音楽プレーヤ、データ記憶デバイス、又は他のハンドヘルド機器、などが挙げられる。一般的に、用語「ＵＥ」又は「ＵＥデバイス」は、ユーザによって容易に運搬され、無線通信が可能な、任意の電子デバイス、コンピューティングデバイス、及び／又は電気通信デバイス（又は、デバイスの組み合わせ）を包含するように、広範に定義することができる。
【００１８】
基地局−用語「基地局」は、その通常の意味の全範囲を有し、少なくとも、固定場所に設置され、無線電話システム又は無線システムの一部として通信するために使用される無線通信局を含む。
【００１９】
処理要素−種々の要素又は要素の組み合わせを指す。処理要素としては、例えば、ＡＳＩＣ（Application Specific Integrated Circuit、特定用途向け集積回路）などの回路、個別のプロセッサコアの一部分若しくは回路、プロセッサコア全体、個別のプロセッサ、フィールドプログラマブルゲートアレイ（field programmable gate array、ＦＰＧＡ）などのプログラム可能ハードウェアデバイス、及び／又は複数のプロセッサを含むシステムのより大きい部分、が挙げられる。
【００２０】
チャネル−送信側（送信機）から受信機に情報を伝達するために使用される媒体。用語「チャネル」の特性は、異なる無線プロトコルによって異なる場合があるため、用語「チャネル」は、本明細書で使用されるとき、その用語が関連して使用されるデバイスの種類の規格に合致する方式で使用されていると、見なすことができる点に留意されたい。いくつかの規格では、チャネル幅は、可変とする（例えば、デバイス性能、帯域条件などに応じて）ことができる。例えば、ＬＴＥは、１．４ＭＨｚ〜２０ＭＨｚのスケーラブルなチャネル帯域幅をサポートすることができる。対照的に、Ｂｌｕｅｔｏｏｔｈ（登録商標）のチャネル幅は１ＭＨｚに対して、ＷＬＡＮのチャネル幅は２２ＭＨｚであり得る。他のプロトコル及び規格は、異なるチャネルの定義を含み得る。さらに、いくつかの規格は、複数の種類のチャネル、例えば、アップリンク若しくはダウンリンクのための異なるチャネル、及び／又は、データ、制御情報などの異なる用途のための異なるチャネルを定義し、使用することができる。
【００２１】
バンド−「バンド」という用語は、その通常の意味の全範囲を有しており、少なくとも、チャネルが使用されるか又は同じ目的のために確保しておくスペクトルの部分（例えば、無線周波数スペクトル）が含まれる。
【００２２】
自動的に−アクション若しくは動作を直接指定又は実行するユーザ入力を使用することなく、コンピュータシステム（例えば、コンピュータシステムによって実行されるソフトウェア）又はデバイス（例えば、回路、プログラム可能ハードウェア要素、ＡＳＩＣなど）によって実行される、アクション又は動作を指す。したがって、「自動的に」という用語は、ユーザが入力を提供することにより動作を直接実行する、ユーザによって手作業で実行又は指定される動作とは対照的である。自動手順は、ユーザによって提供される入力によって開始することができるが、「自動的に」実行される後続のアクションは、ユーザによって指定されず、即ち、実行するべき各アクションをユーザが指定する「手作業」では実行されない。例えば、ユーザが、各欄を選択して、情報を指定する入力を提供することによって（例えば、情報を打ち込むこと、チェックボックス、無線選択を選択することなどによって）、電子フォームに記入することは、たとえ、コンピュータシステムが、そのユーザのアクションに応じて、そのフォームを更新しなければならなくても、手作業でフォームに記入することになる。コンピュータシステム（例えば、コンピュータシステム上で実行されるソフトウェア）が、フォームの欄を分析して、その欄に対する回答を指定するユーザ入力を全く伴わずに、フォームに記入する場合、そのフォームは、コンピュータシステムによって自動的に記入することになる。上述のように、ユーザは、フォームの自動記入を呼び出すことができるが、フォームの実際の記入には関与しない（例えば、ユーザは、フィールドに対する回答を手作業で指定しないで、むしろ、その回答は自動的に完了するといえる）。本明細書は、ユーザが行ったアクションに応じて動作が自動的に実行される、さまざまな実施例を提供する。
【００２３】
図１及び図２−通信システム
図１は、一実施形態に係る、例示的な（かつ簡略化された）無線通信システムを示す。図１のシステムはあり得るシステムの単なる一例にすぎず、実施形態は所望に応じて、種々のシステムのうちの任意のものにおいて実行され得ることに留意されたい。
【００２４】
図示のように、例示的な無線通信システムは、１つ以上のユーザデバイス１０６Ａ、１０６Ｂ等から１０６Ｎまでと、伝送媒体を介して通信する基地局１０２Ａを含む。本明細書では、ユーザデバイスの各々を「ユーザ機器」（ＵＥ）と呼ぶことができる。したがって、ユーザデバイス１０６は、ＵＥ、又はＵＥデバイスと呼ばれる。
【００２５】
基地局１０２Ａは、無線基地局装置（base transceiver station、ＢＴＳ）又はセルサイトであってもよく、ＵＥ１０６Ａ〜１０６Ｎとの無線通信を可能にするハードウェアを含み得る。基地局１０２Ａはまた、ネットワーク１００（例えば、種々の可能性の中で、セルラサービスプロバイダのコアネットワーク、公衆交換電話網（ＰＳＴＮ）などの電気通信ネットワーク、及び／又はインターネット）と通信する機能を備えることもできる。したがって、基地局１０２Ａは、ユーザデバイス間の通信、及び／又は、ユーザデバイスとネットワーク１００との間の通信を円滑化することができる。
【００２６】
基地局の通信領域（又はカバレッジ領域）は、「セル」と呼ばれることもある。基地局１０２Ａ及びＵＥ１０６は、無線通信技術又は電気通信規格とも呼ばれる、ＧＳＭ、ＵＭＴＳ（ＷＣＤＭＡ、ＴＤ−ＳＣＤＭＡ）、ＬＴＥ、ＬＴＥ−Ａｄｖａｎｃｅｄ（ＬＴＥ−Ａ）、ＨＳＰＡ、３ＧＰＰ２  ＣＤＭＡ２０００（例えば１ｘＲＴＴ、１ｘＥＶ−ＤＯ、ＨＲＰＤ、ｅＨＲＰＤ）、Ｗｉ−Ｆｉ、ＷｉＭＡＸなどの、種々の無線アクセス技術（ＲＡＴ）のいずれかを使用して、伝送媒体を介して通信するように構成することができる。
【００２７】
同一の又は異なるセルラ通信規格に従って動作する基地局１０２Ａ及び他の同様の基地局（基地局１０２Ｂ〜１０２Ｎなど）は、したがって、１つ以上のセルラ通信規格を介して、広い地理的エリアにわたって、ＵＥ１０６Ａ〜１０６Ｎ及び同様のデバイスに、連続性のある又はほぼ連続性のある重複するサービスを提供することができる、セルのネットワークとして提供されることができる。
【００２８】
図１に示すように、基地局１０２Ａは、ＵＥ１０６Ａ〜１０６Ｎに対して、「在圏セル」を提供することができる一方、各ＵＥ１０６は、「隣接セル」と呼ぶことができる１つ以上の他のセル（基地局１０２Ｂ〜１０２Ｎ及び／又は任意の他の基地局によって提供され得る）から信号を受信することもまたできる（場合によってはその通信範囲内にある）。このようなセルはまた、ユーザデバイス間、及び／又はユーザデバイスとネットワーク１００との間の通信を円滑化することができる。このようなセルとしては、「マクロ」セル、「マイクロ」セル、「ピコ」セル、及び／又はさまざまな他の任意の粒度のサービスエリアサイズを提供するセルが挙げられる。例えば、図１に例示する基地局１０２Ａと１０２Ｂはマクロセルであってもよく、その一方で、基地局１０２Ｎは、マイクロセルであってもよい。他の構成もまた可能である。
【００２９】
ＵＥ１０６は、複数の無線通信規格を用いて通信することができることに留意されたい。例えば、ＵＥ１０６は、少なくとも１つのセルラ通信プロトコル（例えば、ＧＳＭ、ＵＭＴＳ（ＷＣＤＭＡ、ＴＤ−ＳＣＤＭＡ）、ＬＴＥ、ＬＴＥ−Ａ、ＨＳＰＡ、３ＧＰＰ２  ＣＤＭＡ２０００（例えば、１ｘＲＴＴ、１ｘＥＶ−ＤＯ、ＨＲＰＤ、ｅＨＲＰＤ）など）に加えて、ワイヤレスネットワークプロトコル（例えば、Ｗｉ−Ｆｉ）及び／又はピアツーピア無線通信プロトコル（例えば、ＢＴ、Ｗｉ−Ｆｉピアツーピアなど）を使用して通信するように構成されてもよい。ＵＥ１０６はまた、あるいは代替的に、１つ以上のグローバルナビゲーション衛星システム（ＧＮＳＳ、例えばＧＰＳ又はＧＬＯＮＡＳＳ）、１つ以上のモバイルテレビ放送規格（例えば、ＡＴＳＣ−Ｍ／Ｈ又はＤＶＢ−Ｈ）、及び／又は、所望であれば、任意の他の無線通信プロトコル、を使用して通信するように構成され得る。無線通信規格（２つより多くの無線通信規格を含む）の他の組み合わせもまた可能である。
【００３０】
図２は、一実施形態に係る、基地局１０２（例えば、基地局１０２Ａ〜１０２Ｎのうちの１つ）と通信するユーザ機器１０６（例えば、デバイス１０６Ａ〜１０６Ｎのうちの１つ）を例示する。ＵＥ１０６は、携帯電話、ハンドヘルドデバイス、着用可能デバイス、コンピュータ若しくはタブレット、などのセルラ通信機能を有する機器、又は実質上あらゆる種類の無線機器、であってもよい。
【００３１】
ＵＥ１０６は、メモリに記憶されたプログラム命令を実行するように構成されたプロセッサを含むことができる。ＵＥ１０６は、そのような記憶された命令を実行することによって、本明細書に記載された方法の任意の実施形態を実行することができる。あるいは、又はさらに、ＵＥ１０６は、本明細書に記載された方法の実施形態のうちのいずれか、又は本明細書に記載された方法の実施形態のうちのいずれかの任意の部分を実行するように構成されたＦＰＧＡ（フィールドプログラマブルゲートアレイ）などのプログラム可能ハードウェア要素を含んでもよい。
【００３２】
ＵＥ１０６には、１つ以上の無線通信プロトコル又は技術を使用して通信するための１つ以上のアンテナを含み得る。一実施形態では、ＵＥ１０６は、単一の共有無線機を使用して、ＣＤＭＡ２０００（１ｘＲＴＴ／１ｘＥＶ−ＤＯ／ＨＲＰＤ／ｅＨＲＰＤ）又はＬＴＥのいずれかを用いて、及び／又は、単一の共有無線機を使用して、ＧＳＭ又はＬＴＥのいずれかを用いて、通信するように構成することができる。共有無線機は、無線通信を行うための、単一のアンテナに接続することができるか、又は複数のアンテナ（例えば、ＭＩＭＯの場合）に接続することができる。一般に、無線機は、ベースバンドプロセッサ、アナログＲＦ信号処理回路（例えば、フィルタ、ミキサ、発振器、増幅器などを含む）、又は、デジタル処理回路（例えば、デジタル変調並びにその他のデジタル処理に関する）の任意の組み合わせを含んでもよい。同様に、無線機は、前述のハードウェアを使用して、１つ以上の受信及び送信チェーンを実装することができる。例えば、ＵＥ１０６は、上述したように、受信及び／又は送信チェーンの１つ以上の部品を複数の無線通信技術間で共有し得る。
【００３３】
いくつかの実施形態では、ＵＥ１０６は、それを用いてＵＥ１０６が通信するように構成された、各無線通信プロトコルのために別個の（おそらく複数の）送信及び／又は受信チェーン（例えば、別々のＲＦ及び／又はデジタル無線コンポーネントを含む）を含んでもよい。別の可能性として、ＵＥ１０６は、複数の無線通信プロトコルの間で共有される１つ以上の無線機、及び単一の無線通信プロトコルによって独占的に使用される１つ以上の無線機を含み得る。例えば、ＵＥ１０６はＬＴＥ又は１ｘＲＴＴ（あるいは、ＬＴＥ又はＧＳＭ）のいずれかを使用して通信するための共有無線機と、Ｗｉ−Ｆｉ及びＢｌｕｅｔｏｏｔｈのそれぞれを使用して通信するための別々の無線機とを含み得る。他の構成もまた可能である。
【００３４】
図３−ＵＥの例示的なブロック図
図３は、一実施形態に係るＵＥ１０６の例示的なブロック図を示している。図示のとおり、ＵＥ１０６は、種々の目的のための部分を有し得るシステムオンチップ（ＳＯＣ）３００を含むことができる。例えば、図示のとおり、ＳＯＣ３００は、ＵＥ１０６のためのプログラム命令を実行し得るプロセッサ３０２と、グラフィック処理を実行し、ディスプレイ３６０に表示信号を提供し得る表示回路３０４とを含んでもよい。プロセッサ３０２は、メモリ管理ユニット（ＭＭＵ）３４０に接続してもよく、ＭＭＵ３４０は、プロセッサ３０２からアドレスを受信し、それらのアドレスを、メモリ（例えば、メモリ３０６、読み出し専用メモリ（ＲＯＭ）３５０、ＮＡＮＤフラッシュメモリ３１０）内の位置に変換し、並びに／又は表示回路３０４、無線通信回路３３０、コネクタＩ／Ｆ３２０、及び／若しくはディスプレイ３６０などの、その他の回路若しくはデバイスに変換するように構成されてもよい。ＭＭＵ３４０は、メモリ保護及びページテーブル変換又はセットアップを実行するように構成することができる。いくつかの実施形態では、ＭＭＵ３４０は、プロセッサ３０２の一部として含めることができる。
【００３５】
図示のとおり、ＳＯＣ３００は、ＵＥ１０６の種々の他の回路に接続してもよい。例えば、ＵＥ１０６は、さまざまな種類のメモリ（例えば、ＮＡＮＤフラッシュ３１０を含む）、コネクタインターフェース３２０（例えば、コンピュータシステム、ドック、充電ステーションなどに接続するための）、ディスプレイ３６０、及び無線通信回路（例えば、無線機）３３０（例えば、ＬＴＥ、Ｗｉ−Ｆｉ、ＧＰＳ、等に関する）を含むことができる。
【００３６】
ＵＥデバイス１０６は、基地局及び／又は他のデバイスとの間で無線通信を行うための少なくとも１つのアンテナ（そして、おそらくは、種々の可能性のうち、例えば、ＭＩＭＯ用の、及び／又は異なる無線通信技術を実現するための、複数のアンテナ）を含み得る。例えば、ＵＥデバイス１０６は、アンテナ３３５を用いて、無線通信を実行することができる。上述したように、ＵＥ１０６は、いくつかの実施形態では、複数の無線通信規格を使用して、無線通信を行うように構成することができる。
【００３７】
本明細書でさらに後述するように、ＵＥ１０６は、セルラ通信システムにおける専用の測定／同期サブフレームの使用に関する特徴（特に、図６を参照して本明細書に記載したような）を実現するためのハードウェア及びソフトウェア構成要素を含むことができる。ＵＥデバイス１０６のプロセッサ３０２は、例えば、記憶媒体（例えば、非一時的コンピュータ可読記憶媒体）に記憶されたプログラム命令を実行することによって、本明細書に記載された方法の一部又は全部を実行するように構成され得る。他の実施形態では、プロセッサ３０２は、ＦＰＧＡ（フィールドプログラマブルゲートアレイ）等のプログラム可能ハードウェア要素として、又はＡＳＩＣ（特定用途向け集積回路）として構成され得る。あるいは（又は追加して）、ＵＥデバイス１０６のプロセッサ３０２は、他の構成要素である３００、３０４、３０６、３１０、３２０、３３０、３３５、３４０、３５０、３６０のうちの１つ以上と連携して、とりわけ、図６を参照して本明細書で記載した特徴などの、本明細書で記載した特徴の一部又は全てを実装するように、構成することができる。
【００３８】
図４−基地局の例示的なブロック図
図４は、一実施形態に係る、基地局１０２の例示的なブロック図を示す。図４の基地局は、あり得る基地局の単なる一例にすぎないことに留意されたい。図示のとおり、基地局１０２は、基地局１０２に関するプログラム命令を実行することができるプロセッサ４０４を含み得る。プロセッサ４０４はまた、プロセッサ４０４からアドレスを受信し、それらのアドレスを、メモリ（例えば、メモリ４６０及び読み出し専用メモリ（read only memory、ＲＯＭ）４５０）中のロケーションに、あるいはその他の回路又はデバイスに変換するように構成することができるメモリ管理ユニット（ＭＭＵ）４４０に接続することができる。
【００３９】
基地局１０２には、少なくとも１つのネットワークポート４７０を含めることができる。ネットワークポート４７０は、電話網に接続されており、ＵＥ１０６などの複数のデバイスに、図１及び図２で上述したような電話ネットワークへのアクセスを提供するように構成することができる。
【００４０】
ネットワークポート４７０（又は、追加ネットワークポート）はまた、又は代替的に、セルラネットワーク、例えば、セルラサービスプロバイダのコアネットワーク、に接続するように構成することができる。このコアネットワークは、ＵＥデバイス１０６などの複数のデバイスに、移動性に関連するサービス及び／又は他のサービスを提供することができる。いくつかの場合には、ネットワークポート４７０は、コアネットワークを介して電話網に接続することができ、かつ／又は、そのコアネットワークは、電話網（例えば、セルラサービスプロバイダによるサービスを受ける他のＵＥデバイス間の）を提供することができる。
【００４１】
基地局１０２は、少なくとも１つのアンテナ４３４と、場合によっては複数のアンテナを含んでもよい。アンテナ４３４は、無線送受信器として動作するように構成されることができ、さらに、無線機４３０によって、ＵＥデバイス１０６と通信するようにさらに構成されることができる。アンテナ４３４は、通信チェーン４３２を介して、無線機４３０と通信する。通信チェーン４３２は、受信チェーン、送信チェーン又はその両方であってもよい。無線機４３０は、ＬＴＥ、ＬＴＥ−Ａ、ＵＭＴＳ、ＣＤＭＡ２０００、Ｗｉ−Ｆｉなどを含むがこれらには限定されない種々の無線電気通信規格によって、通信するように構成されることができる。
【００４２】
ＢＳ１０２は、複数の無線通信規格を使用して無線通信するように構成され得る。いくつかの例では、基地局１０２は、複数の無線機を備えることができ、これによって、基地局１０２は、複数の無線通信技術に従って通信することができる。例えば、一つの可能性として、基地局１０２は、ＬＴＥに従って通信を実行するためのＬＴＥ無線機、並びに、Ｗｉ−Ｆｉに従って通信するためのＷｉ−Ｆｉ無線機を備えてもよい。このような場合、基地局１０２は、ＬＴＥ基地局及びＷｉ−Ｆｉアクセスポイントの両方として動作することができる。別の可能性として、基地局１０２は、マルチモード無線機を備えることができる。このマルチモード無線機は、複数の無線通信技術（例えば、ＬＴＥとＷｉ−Ｆｉ、ＬＴＥとＵＭＴＳ、ＬＴＥとＣＤＭＡ２０００、ＵＭＴＳとＧＳＭ、等）のうちのいずれかに従って、通信を行うことができる。
【００４３】
本明細書でさらに後述するように、ＢＳ１０２は、セルラ通信システムにおける、専用の測定／同期サブフレームの使用に関する特徴（特に、図６を参照して本明細書に記載したような）を実現するためのハードウェア及びソフトウェア構成要素を含むことができる。基地局１０２のプロセッサ４０４は、例えば、記憶媒体（例えば、非一時的コンピュータ可読記憶媒体）に記憶されたプログラム命令を実行することによって、本明細書に記載する方法の一部又は全体を実装するように構成することができる。あるいは、プロセッサ４０４は、ＦＰＧＡ（フィールドプログラマブルゲートアレイ）等のプログラム可能ハードウェア要素として、又はＡＳＩＣ（特定用途向け集積回路）又はこれらの組み合わせとして、構成され得る。あるいは（又は追加して）、ＢＳ  １０２のプロセッサ４０４は、他の構成要素である４３０、４３２、４３４、４４０、４５０、４６０、４７０のうちの１つ以上と連携して、とりわけ、図６を参照して本明細書で記載した特徴などの、本明細書で記載した特徴の一部又は全てを実装するように、構成されることができる。
【００４４】
図５−例示的なセル固有参照シンボルの構成
ＬＴＥの現在の実装によれば、たとえサブフレーム内にＵＥの割当てがなくても、セル固有参照シンボル（ＣＲＳ）は、各サブフレーム内で送信される。ＣＲＳは、種々の目的の中で、ＵＥの追跡ループ（時間追跡ループ、周波数追跡ループ、ドップラー及び信号対干渉雑音比（ＳＩＮＲ）の推定ループ、チャネル推定、など）、在圏セル及び隣接セルの測定（例えば、ＲＳＲＰ／ＲＳＲＱ測定）、特定制御チャネルの復調（例えば、ＰＨＩＣＨ、ＰＤＣＣＨ、ＰＣＦＩＣＨ、ＰＢＣＨ）、及びＣＲＳ及び４つ未満の送信アンテナを必要とする物理ダウンリンク共有チャネル（ＰＤＳＣＨ）に関する特定のレガシー伝送モード（例えば、伝送モード１〜６）、のために提供される。
【００４５】
図５は、一実施形態に係る、セル固有参照シンボルが提供される例示的なサブフレーム参照シンボルの構成を示す。図５に示すように、各アンテナポート上で、各サブフレームの特定のリソース要素は、セル固有参照シンボルの送信のために使用され、各サブフレームの特定のリソース要素は、他のアンテナポートに対するセル固有参照シンボルの伝送との干渉を避けるために不使用のままにされている。
【００４６】
ＣＲＳの使用は、さまざまな方法で、ＬＴＥシステムに影響を与える。一例として、ＬＴＥセルにより、全てのサブフレーム（これらのセルによってＵＥとの通信にリソースが割り当てられていないサブフレームを含む）で、ＣＲＳを現在使用すると、小さいセル（即ち、マクロセルよりも小さい、例えば、マイクロセル、ピコセル、フェムトセル）の配置シナリオに関して、有意な干渉を引き起こす恐れがある。例えば、全てのこのような（小さい）セルは、システムフレーム番号（ＳＦＮ）で整列され得るので、マクロセルとこの小セルとの間に送信電力の差があるために、特に、マクロセルが隣接する小セルと干渉しているヘテロジニアス配置の場合には、これは干渉をもたらす恐れがある。さらに、少なくともいくつかの場合において、小セルは、そのＵＥと通信するために、ほぼブランクとなるサブフレーム（almost blank subframe、ＡＢＳ）のスケジューリング、及びマクロセルからの対応する干渉の欠如に依存することになる。しかし、ＣＲＳが、依然としてＡＢＳサブフレームで送信される可能性があるので、たとえマクロセルにおけるＰＤＣＣＨとＰＤＳＣＨからの干渉が除去されたとしても、ＡＢＳサブフレーム内のＣＲＳからの干渉は、小セルにおけるＰＤＣＣＨの復号に、なお影響を与え、場合によっては／やがてはＰＤＳＣＨにも影響を与える場合がある。
【００４７】
別の例として、免許不要の周波数帯域（例えば、ＬＴＥ−Ｕの配置）に設けられたＬＴＥセルに関して、このセルが、特定の周波数上でＣＲＳ信号を送信する場合、セルがそのＵＥに関するデータをスケジューリングしていない場合であっても、これは、その周波数にアクセスしようとしている任意のＷｉ−Ｆｉアクセスポイントに対する干渉を生成する恐れがある。これに対して、所与の周波数上でこのセルによってデータ通信が実行されていない間、このようなセルが、完全にサイレント状態へ移行することができたとすれば、Ｗｉ−Ｆｉデバイスは、その周波数にもっと容易にアクセスすることができるので、Ｗｉ−Ｆｉ及びＬＴＥ−Ｕは、免許不要の周波数帯域でうまく共存することができる。
【００４８】
さらに、ＣＲＳの使用は、ＬＴＥセルの総スペクトル効率に影響を及ぼす。参照シンボルが送信される各リソース要素は、データ通信に割り当てることができるリソース要素が１つ少なくなることを表す。さらに、セル測定及び同期機能をサポートするためにＣＲＳを使用することは、ＵＥがこのような機能のためにＣＲＳを効果的に使用するためには、これらのＣＲＳを継続的に監視する必要があるので、ＵＥの電力消費に影響を与える可能性がある。
【００４９】
図６−通信フロー図
システム機能に及ぼすこのような顕著な影響を考慮すると、これらの欠点を軽減しつつ、ＣＲＳの機能を達成する方法を提供することが望ましい。
【００５０】
このような手法の１つとして、周期的な専用の参照サブフレームを設けることを挙げることができる。このようなサブフレームは、正確な追跡ループの更新及びＲＳＲＰ／ＲＳＲＱ測定を可能にするのに十分な参照情報（例えば、参照シンボル又は他の参照信号、の系列として）を含むことができる。さらに、例えば、ＵＥが、在圏セル及びあらゆる隣接セルの双方について測定を行う可能性を促進するために、このような参照サブフレームは、全てのセルにわたって同期させることができる。そして、このような参照サブフレームは、このような目的のために、一部の又は全ての隣接セルについての制御情報をさらに含むことができる。
【００５１】
さらに考慮することとして、隣接セル間干渉に対する堅牢性を確保するために、参照サブフレームの期間中に、異なるセルによって用いられる参照信号又は「測定信号」は、直交するように設計することができる。
【００５２】
全体として、このような方式によれば、スペクトル効率の無駄をなくし、干渉を低減し、ＵＥ消費電力を低減することができる。図６は、一実施形態に係る、整合された参照サブフレームをセルラ基地局によって提供するためのこのような方式を例示する通信／信号フロー図である。図６に示す方式は、上記の図に示す任意のコンピュータシステム又は機器などと連携して使用することができる。図６に示す方式は、１つの可能性として、（図５に関して説明したような）ＬＴＥシステムと連携して使用することができるが、このような方式（又はその変形）はまた、さまざまな他の望ましいセルラシステムのいずれかと連携して使用することもできることに留意されたい。
【００５３】
図示のように、この方式によれば、「第１の」ＢＳ１０２Ａ及び隣接するＢＳ１０２Ｂ、・・・１０２Ｎ（例えば、図１〜図２及び図４に関して例示して説明したような）はそれぞれ、測定、同期、制御、及び／又は他の目的のために、時間同期された方法で、各測定信号を提供することができる。「第１の」ＵＥ１０６（例えば、図１〜図３に関して例示して説明したような）は、専用の参照サブフレームを介して、在圏セル及び隣接セルの測定、同期機能、を実行し、及び／又は、制御情報を受信することができる。
【００５４】
さまざまな実施形態において、示された方式の要素のいくつかは、同時に実行してもよいし、示されたのと異なる順序で実行してもよいし、又は、省略してもよいことに留意されたい。所望により、追加の要素もまた実行することができる。図示のように、この方式は、以下のとおり動作することができる。
【００５５】
６０２では、第１のＢＳ１０２Ａは、参照サブフレームの期間中に、第１の測定信号を送信し得る。
【００５６】
６０４では、第１のＢＳ１０２Ａに隣接するＢＳ１０２Ｂ〜１０２Ｎは、参照サブフレームの期間中に、それぞれの測定信号を送信し得る。第１のＢＳ  １０２Ａ及び隣接するＢＳ  １０２Ｂ〜１０２Ｎは、参照サブフレームが基地局間で時間同期されるように、それらの送信を整合することができる。換言すれば、ステップ６０２及びステップ６０４は、同時に行うことができる。
【００５７】
測定信号の各々は、互いに直交し得る。例えば、各基地局は、所与のリソースブロックに対して、特定のＺａｄｏｆｆ−Ｃｈｕルート系列の異なる循環シフトを使用することができる。種々の他の相互に直交する信号のいずれかを、さらに、あるいは代替的に、使用することができる。これは、隣接するセル間干渉に対する堅牢性を確保し、異なる基地局による異なる送信の区別を容易にすることができる。
【００５８】
６０６では、第１のＵＥ１０６は、参照サブフレームの期間中に、第１のＢＳ１０２Ａ及び隣接するＢＳ１０２Ｂ〜１０２Ｎによって提供される測定信号に基づいて、第１のＢＳ１０２Ａ及び隣接するＢＳ１０２Ｂ〜１０２Ｎについての在圏セル測定及び同期機能、並びに、隣接セル測定を実行することができる。このような同期機能及び測定は、信号強度及び／又は信号品質測定（例えば、ＲＳＲＰとＲＳＲＱ）、タイミングループ、周波数ループ、ドップラー及び／又はＳＩＮＲループの更新、チャネル推定の実施、等を含み得る。
【００５９】
いくつかの例では、隣接セルに関する制御情報は、参照サブフレームの一部として送信することができることに留意されたい。これによって、参照サブフレームの期間中に、ＵＥ（例えば、第１ＵＥ１０６）により、所与の在圏セルの全ての隣接セルの測定を実行することが容易となり得る。
【００６０】
いくつかの例では、参照サブフレームは、専用の同期／測定サブフレームとすることができる。例えば、第１のＢＳ１０２Ａにより送信される第１の測定信号は、参照サブフレーム全体にわたってもよく、隣接ＢＳ１０２Ｂ〜１０２Ｎによって送信される各測定信号は、同様に、参照サブフレーム全体にわたってもよい。
【００６１】
参照サブフレームは、継続的に、整合された周期的な間隔で、ＢＳ１０２Ａ〜１０２Ｎによって提供することができる。例えば、サブフレームは、１０ｍｓ毎、２０ｍｓ毎に、又は他のさまざまな間隔で、スケジューリングされてもよい。参照サブフレーム間に、例えば、（ＵＥ１０６などの）任意のＵＥが、ＢＳ１０２Ａ〜１０２Ｎのいずれかとの間でデータ通信するためにスケジュールされる場合、ＢＳ１０２Ａ〜１０２Ｎは、データサブフレームの期間中にデータを送信することもできる。あるいは、又はさらに、例えば、データ通信に関してスケジュールされたＵＥがない場合、ＢＳ１０２Ａ〜１０２Ｎは、参照サブフレーム間の１つ以上のサブフレームをブランクのまま（即ち、送信しない）にしてもよい。参照サブフレームは、ＵＥが測定及び同期機能を実行するために十分な情報を提供することができるので、参照サブフレーム間のサブフレームの一部又は場合によっては全ての期間中には、セル固有参照シンボルを使用しなくてもよい場合がある。結果として、セル固有参照シンボルのために確保されたであろうデータサブフレームのサブフレームシンボルは、データサブキャリアとして使用することができ、これによって、それらのサブフレーム期間の通信スペクトル効率を上昇させることができる。さらに、セル固有参照シンボルのために使用されたであろうブランクサブフレームのサブフレームシンボルもまた、空白のままにすることができ、これによって、それらのサブフレームの期間中に他のセルに与える干渉を低減することができる。
【００６２】
いくつかの実施態様では、参照サブフレームに関する情報は、ＢＳ１０２Ａ〜１０２Ｎのうちの１つ以上によって、ブロードキャストシステム情報（例えば、システムにまだ接続されていないＵＥに、及び／又はＲＲＣアイドルモードのＵＥに、利用可能となるように）内で、及び／又はＲＲＣ構成メッセージ（例えば、ＲＲＣ接続モードにあるＵＥのための）内で、提供されることができる。このような場合には、その通信システムにおける第１ＵＥ１０６及び／又は任意の他のＵＥは、このような情報を用いて、在圏セル測定及び同期機能、及び／又は、隣接セル測定を、いつ（例えば、参照サブフレームは、どのシステムフレーム番号（ＳＦＮ）に該当するか）、どのように（例えば、基地局１０２Ａ〜１０２Ｎによって使用される信号の特徴／種類／インデックス番号など）、実行するかを決定することができる。
【００６３】
あるいは、参照サブフレームの構造（例えばセルＩＤと特定の参照信号との間の対応、参照サブフレームのタイミングなど）は、通信システムにおいて使用される無線通信技術に関する仕様書の中で十分に定義することができるので、既に提供された情報（例えば、各セルによってブロードキャストされたシステム情報ブロックから得られるような、システムフレーム番号及びセルＩＤ）は、ＵＥがいつどのようにして参照サブフレームを利用するかを決定することを可能にするのに十分となり得る。
【００６４】
追加の情報
以下の情報は、通信システムが、ＬＴＥ又はＬＴＥ−Ａに従って動作する特定の可能で例示的な実施態様、及びそれに関連する考慮事項の追加説明として提供され、全体として、本開示を限定することを意図するものではない。以下の詳細に対する多数の代替及び変形もまた可能であり、本開示の範囲内と考えるべきである。
【００６５】
少なくともいくつかの例では、（例えば、新しいリリースのデバイスのみをサポートするセルの場合）は、ＣＲＳの使用を最小化し、このような方式を実質的に実装することが可能であり得る。しかし、図６に図示して説明したような方式が実装される場合であっても、ＣＲＳは、特定の状況において、所望であれば用いることができる。例えば、周期的で、専用の参照サブフレームによって、ＵＥは、その参照サブフレームの期間中に、全ての必要な、在圏セル及び隣接セルの測定を実行することができる。しかし、特定のチャネル（例えば、ＣＲＳベースのプリコーディングされたチャネル）の復号は、ＣＲＳを使用し続けることになるので、このようなチャネル（例えば、ＰＢＣＨ，ＰＨ  ＩＣＨ、ＰＣＦＩＣＨ）を含むサブフレーム（又は、場合によっては、特定のリソースブロックだけ）に関して、ＣＲＳは送信される場合がある。このような例において、ＣＲＳは、広帯域の様式（例えば、全てのリソースブロック（ＲＢ）にわたって）では送信されないが、むしろ、ただ所望の制御チャネルを含むそれらのＲＢに関してのみ、送信される場合がある。例えば、ＰＢＣＨの場合、ＣＲＳは、システム帯域幅の中央における６つのリソースブロックでのみ送信されることができる。あるいは、又はそれに加えて、ＣＲＳベースのプリコーディングに以前依存した特定のチャネルが、ＵＥ固有参照シンボルを使用するチャネルと置き換えられる場合がある。例えば、ＰＤＣＣＨは、ＵＥ固有参照シンボルを使用するＥ−ＰＤＣＣＨで置き換えることがある。
【００６６】
更なる可能性として、いくつかのセルは、キャリアアグリゲーション方式において、２次セル（２次コンポーネントキャリア）として、主として、又は排他的に提供することができる。例えば、ＬＴＥ−Ｕセル（免許不要帯域に配置されるセルであり、さらにまた、新しいリリースの機器のみをサポートするセルの一例であり得る）が、２次コンポーネントキャリア（「Ｓセル」）として配置されてもよい。このようなセルは、制御通信が１次コンポーネントキャリア（「Ｐｃｅｌｌ」）上で実行される、クロスキャリアスケジューリングの対象となり得る。このような場合、ＬＴＥ−Ｕ  Ｓｃｅｌｌは、ＰＤＣＣＨを有しない場合がある。
【００６７】
ＣＲＳの必要性を回避するための更なる考慮事項として、ＰＤＳＣＨは、ＬＴＥ送信モード７〜１０などのＵＥ固有参照シンボルを必要とする（即ち、ＣＲＳを必要としない）伝送モードを使用してもよい。さらに、ＣＱＩ／ＰＭＩ／ＲＩ測定は、ＬＴＥリリース１０で定義されたチャネル状態情報参照シンボル（ＣＳＩ−ＲＳ）に基づくことができる。
【００６８】
例えば、このような参照フレームを利用するようには構成されておらず、及び／又は特定の目的のためにＣＲＳを必要とするレガシーデバイスに対してサポートを提供し続けるためには、ＣＲＳの使用と実質的に共存する方法で、専用の参照サブフレームを実装できることもまた可能であり得る。例えば、所望であれば（例えば、新規リリース機器及びレガシー機器の双方をサポートするセルで）、データ通信のためにスケジュールされているＵＥがない場合には、ＣＲＳは送信されないで、設定された（例えば、無線リソース制御（ＲＲＣ）メッセージにより規定されたような）特性に基づいて、参照サブフレームが送信されるであろう。しかし、ＵＥがデータ通信のためにスケジュールされる場合には、ＣＲＳを使用することができる。
【００６９】
参照サブフレームは、任意のさまざまな方法で、設計することができる。第１の例として、本設計は、次式によって提示されるような、Ｚａｄｏｆｆ−Ｃｈｕ（ＺＣ）系列に基づくことができる。
【数１】
0006488311.tif 000002
ここで、ｕ＝物理ルート系列インデックス。
【００７０】
この場合には、セル間の測定信号の直交性は、同一ルートのＺＣ系列の循環シフト、及び、周波数領域分割により、確実にすることができる。例えば、特定のリソースブロック（ＲＢ）について、同一のＺＣルート系列が、各セルに関して使用されるが、異なるセルにより使用される信号が、互いに直交することを確実にするために、各セルに対して、そのルートの異なる循環シフトを割り当てることができる。異なるリソースブロックについては、異なるルート系列を用いることができる。
【００７１】
このような参照系列は、サブフレーム全体（２スロット）、又は、サブフレームの半分（１スロット）にわたってもよい。参照系列が、サブフレームの半分にわたる場合、各セルは、２つの異なる系列（例えば、スロット毎に１つの）によって識別することができる。あるいは、同じ系列が、時間ドメインにおいて（例えば、時間ダイバーシティの場合）、及び／又は第２スロット内の異なるリソースブロックにおいて（例えば、周波数ダイバーシティの場合）繰り返されて、測定信号を形成することができる。周波数領域におけるこのような「ホッピング」は、静的（例えば、既知の／予め規定された）又は動的（例えば、ＲＲＣ通信でシグナリングされる）であってもよい。
【００７２】
参照系列の長さが、単一のＲＢの中の利用可能なサブキャリア数に等しくない（例えば、より大きいか、又はより小さい）場合には、サブキャリアの間隔を、参照サブフレームに対して変更（例えば、短縮又は延長する）することができることにも留意されたい。
【００７３】
したがって、この例では、所与のセルの測定信号が規定され、他のセルの測定信号に対する直交性が、ＲＢインデックス、ＺＣルート系列、及びルート循環シフトの組み合わせによって、確実にされる。
【００７４】
別の例として、３ＧＰＰリリース８のような参照シンボル系列を使用することができる。このような場合に、符号領域分割（ＣＤＭ）に加えて、周波数領域分割（ＦＤＭ）を用いて、直交性を確実にすることができる。この概念は、ＣＳＩ−ＲＳについて使用されるものと同様とすることができる。この例では、続いて、所与のセルの測定信号が規定され、他のセルの測定信号に対する直交性が、参照シンボル系列、ＣＤＭインデックス、及びＲＢインデックスの組み合わせによって、確保される。
【００７５】
所望であれば（例えば、直交系列及び／又はコードの有限集合によって）、参照サブフレームの送信に対する時間領域オフセットを、種々のセル群のそれぞれについて、使用することができることにさらに留意されたい。例えば、第１のセル群は、ＳＦＮ  ｋで送信することができ、第２群は、ＳＦＮ  ｊ（例えば、ｊ及びｋは、異なる数である）、等で送信することができる。セル群は、ほとんどの場合、参照サブフレームの期間中に、全ての在圏セル及び隣接セル測定を実行する能力をＵＥに提供するために、全ての隣接セルの同期を取ることができる（即ち、互いに同一のＳＦＮ内の参照サブフレームを送信することができる）ように、地理的に整合されていてよい。
【００７６】
前述したように、所与のセル（例えば、特定のセルＩＤを有する）と、参照サブフレームのためにそのセルによって使用される系列／信号との間のマッピングは、静的な方法で規定され得る（例えば、３ＧＰＰ仕様において）か、又は構成メッセージを使用して動的に提供されることができる。
【００７７】
動的構成の場合、構成情報は、ＲＲＣメッセージ及び／又はシステム情報ブロック（ＳＩＢ）情報の中で送信されてもよい（例えば、これは、アイドルモード及び接続モードの双方で使用され得るためである）。１つの可能性として、このような構成情報には、隣接セル、それらのセルＩＤ、及び、参照サブフレームのために各このようなセルによって使用される信号を識別する系列／信号インデックス（又は他のインジケータ）、のリストを含むことができる。この構成にはまた、ＳＦＮの開始時刻、参照サブフレームの周期性、１サイクル内のサブフレームパターン、のうちの１つ以上をさらに含むことができる。
【００７８】
具体例として、以下に示すのは、このような情報を表すために使用され得る、例示的なＲＲＣ情報要素（information element、「ＩＥ」）の「ＭｅａｓＳｕｂｆｒａｍｅＰａｔｔｅｒｎ」である。以下の実施例は、１つの可能な構成メッセージを表すが、以下の実施例の多数の代替及び変形もまた可能であることに留意されたい。
【表１】
0006488311.tif 000003
【００７９】
本開示について、更なる例示的な実施形態が以下に示される。
【００８０】
１．無線ユーザ機器（ＵＥ）デバイスと基地局（ＢＳ）との間で通信するための方法であって、参照サブフレームの期間中に、第１ＢＳによって第１測定信号を送信することであって、第１ＢＳの各隣接ＢＳもまた、第１ＢＳと時間同期した方法で、参照サブフレームの期間中に各測定信号を送信し、第１測定信号は、第１ＢＳの各隣接ＢＳによって送信される各測定信号と直交する、ことと、第１測定信号に基づいて、参照サブフレームの期間中に、第１ＵＥによって、第１ＢＳについての一つ以上の在圏セル又は隣接セル測定を実行することと、隣接ＢＳのうちの少なくとも１つのサブセットの各基地局によって送信される各測定信号に基づいて、参照サブフレームの期間中に、第１ＵＥによって、隣接ＢＳのうちの少なくとも１つのそのサブセットについての一つ以上の在圏セル又は隣接セル測定を実行することと、を備える方法。
【００８１】
２．各測定信号が参照シンボルのＺａｄｏｆｆ−Ｃｈｕベースの系列を含む、実施例１。
【００８２】
３．第１ＢＳが、参照サブフレームの期間中に、第１ＢＳの各隣接ＢＳに関する制御情報をさらに送信する、実施例１又は２のいずれか。
【００８３】
４．参照サブフレームは、専用の同期及び測定サブフレームであり、第１ＢＳによって送信される第１測定信号は、参照サブフレーム全体にわたる、実施例１から３のいずれか。
【００８４】
５．複数のデータサブフレームの期間中に、第１ＢＳによってデータを送信することをさらに備え、データサブフレームの少なくとも一部は、セル固有参照シンボルを含んでいない、実施例１から４のいずれか。
【００８５】
６．第１ＢＳ及び第１ＢＳの各隣接ＢＳによって、整合された周期的な間隔で参照サブフレームが提供される、実施例１から５のいずれか。
【００８６】
７．無線ユーザ機器（ＵＥ）デバイスであって、無線通信のために構成された１つ以上のアンテナを含む無線機と、無線機に動作可能に接続された処理要素と、を備え、ＵＥは、実施例１から６のいずれかによる方法を実行するように構成された、無線ユーザ機器（ＵＥ）デバイス。
【００８７】
８．基地局（ＢＳ）であって、無線通信のために構成された１つ以上のアンテナを含む無線機と、無線機に動作可能に接続された処理要素と、を備え、ＢＳは、実施例１から６のいずれかによる方法を実行するように構成された、基地局（ＢＳ）。
【００８８】
９．プログラム命令を備える非一時的コンピュータアクセス可能記憶媒体であって、このプログラム命令は、機器で実行されると、実施例１から６のいずれかによる方法をその機器に実行させる、記憶媒体。
【００８９】
１０．実施例１から６のいずれかによる方法を実行するための命令を備えるコンピュータプログラム。
【００９０】
１１．実施例１から６のいずれかによる方法を実行するための手段を備える装置。
【００９１】
１２．本明細書の、発明を実施するための形態に実質的に記載された、任意の動作又は動作の組み合わせを含む方法。
【００９２】
１３．図１から図６までのそれぞれ又はいずれかを参照して、又は、発明を実施するための形態における段落のそれぞれ又はいずれかを参照して、本明細書に実質的に記載された方法。
【００９３】
１４．本明細書の、発明を実施するための形態に実質的に記載された、任意の動作又は動作の組み合わせを実行するように構成された無線機器。
【００９４】
１５．本明細書の、無線機器に含まれるものとして発明を実施するための形態に実質的に記載された、任意の構成要素又は構成要素の組み合わせを含む無線機器。
【００９５】
１６．命令を記憶する不揮発性コンピュータ可読媒体であって、この命令は、実行されると、本明細書の、発明を実施するための形態に実質的に記載された、任意の動作又は動作の組み合わせの実行をもたらす、不揮発性コンピュータ可読媒体。
【００９６】
１７．本明細書の、発明を実施するための形態に実質的に記載された、任意の動作又は動作の組み合わせを実行するように構成された集積回路。
【００９７】
本開示の実施形態は、さまざまな形態のうちのいずれかで実現することができる。例えば、いくつかの実施形態は、コンピュータにより実施される方法、コンピュータ可読記憶媒体、又はコンピュータシステムとして実現されることができる。他の実施形態は、ＡＳＩＣなどのカスタム設計されたハードウェアデバイスの１つ以上を使用して、実現することができる。さらに他の実施形態では、ＦＰＧＡのようなプログラム可能なハードウェア要素の１つ以上を用いて、実現することができる。
【００９８】
いくつかの実施形態では、非一時的コンピュータ可読記憶媒体は、プログラム命令及び／又はデータを記憶するように構成することができ、このプログラム命令は、コンピュータシステムによって実行される場合には、そのコンピュータシステムに、方法、例えば、本明細書に記載した方法の実施形態のうちのいずれか、又は、本明細書に記載された方法の実施形態の任意の組み合わせ、又は、本明細書に記載された方法の実施形態のうちのいずれかの任意のサブセット、又は、このようなサブセットの任意の組み合わせ、を実行させる。
【００９９】
いくつかの実施形態では、機器（例えば、ＵＥ１０６）は、プロセッサ（又はプロセッサのセット）及び記憶媒体を含むように構成してもよい。ここで、記憶媒体はプログラム命令を記憶し、プロセッサは、記憶媒体からプログラム命令を読み込み、実行するように構成されている。プログラム命令は、本明細書に記載された種々の方法の実施形態の任意のもの（又は、本明細書に記載された方法の実施形態の任意の組み合わせ、又は、本明細書に記載された方法の実施形態のいずれかの任意のサブセット、又は、このようなサブセットの任意の組み合わせ）を実施するために実行可能である。機器は、さまざまな形態のいずれかで実現することができる。
【０１００】
上記の実施形態は、かなり詳細に記載されているが、上記の開示が完全に理解されると、当業者には、数多くの変形及び変更が明らかとなるであろう。以下の請求項は、このような変形及び変更の全てを包含するように解釈することを意図している。
【図１】
0006488311.tif 000004
【図２】
0006488311.tif 000005
【図３】
0006488311.tif 000006
【図４】
0006488311.tif 000007
【図５】
0006488311.tif 000008
【図６】
0006488311.tif 000009